(57)【特許請求の範囲】
【請求項１】
カート及び袋体を有し、
その内、前記カートは、複数の支柱と、複数の連結ロッドと、複数のキャップと、複数の摺動座と、複数のバネと、複数のキャスターと、１つのペダル部材とを備え、該キャップが支柱の上端に取り付けられ、該キャスターが支柱の下端に装着され、該ペダル部材が１本の支柱に環装され、該摺動座がその他の支柱に環装され、該２本が組み合わされる一対の連結ロッドが、隣り合う支柱の間において、その２本の連結ロッドが中央で枢設されるように取り付けられ、その連結ロッドの上端がキャップに枢設されると共に、下端が対応する摺動座またはペダル部材に枢設され、また、該バネが支柱に取り付けられ、その上端がキャップに固定されると共に、下端が対応する摺動座またはペダル部材に固定され、
前記袋体は、カートの支柱に取り付けられ、上部に開口が形成され、外面に締結部材が設けられることを特徴とする、
ボールカート。
【請求項２】
前記カートは、４本の支柱と、４対の２本が組み合わされた連結ロッドと、４つのキャップと、３つの摺動座と、２つのバネと、４つのキャスターと、１つのペダル部材を備え、その内、キャップの上部にフタが取り付けられ、該フタの垂直両側にそれぞれ枢設口が凹設され、前記連結ロッドの上端は、枢設口を介してキャップのフタに枢設され、前記摺動座の中央に貫通孔が形成され、前記支柱が貫通孔を介して摺動座に貫設され、該摺動座の垂直両側にそれぞれ枢接口が形成され、前記連結ロッドの下端が対応する枢接口を介して摺動座に枢設され、前記ペダル部材は、１本の支柱に環設され、垂直両側にそれぞれクリップが延設され、前記連結ロッドの下端が対応するクリップを介してペダル部材に枢設され、前記摺動座はそれぞれ、他の３本の支柱に環装され、前記バネはそれぞれ、斜めに交差する２本の支柱に取り付けられることを特徴とする請求項１に記載のボールカート。
【請求項３】
前記ペダル部材は、細長状の管体であり、中心に軸方向に沿って長孔が形成され、上部に枢接部が設けられ、中間部に延出部が設けられ、下部に踏込み部が設けられ、該枢接部の両側にそれぞれ前記クリップが延設され、該延出部の１面に開口が形成されると共に、他の３面に壁が設けられ、該踏込み部は、延出部の底端から１つの該クリップと同一の方向へ延設され、前記支柱がペダル部材の長孔を通過するようペダル部材に環設されることを特徴とする請求項１または２に記載のボールカート。
【請求項４】
前記袋体は、底部に複数の取付穴が形成され、上部の開口近傍における、取付穴と対応する箇所にそれぞれ止め部が設けられ、前記支柱は取付穴を通過し、キャップは止め部に掛止されることを特徴とする請求項３に記載のボールカート。
【請求項５】
前記ペダル部材の内周面に複数のリブが縦方向に凸設されることを特徴とする請求項４に記載のボールカート。
【請求項６】
前記締結部材がバックルまたは円環状の紐であることを特徴とする請求項５に記載のボールカート。
【請求項７】
少なくとも１つのペダル部材の周面に位置決め穴が形成され、該ペダル部材と対応する支柱の下端近傍に係合ボタンが設置されることを特徴とする請求項１または２に記載のボールカート。
【請求項８】
少なくとも１つのペダル部材の周面に位置決め穴が形成され、該ペダル部材と対応する支柱の下端近傍に係合ボタンが設置されることを特徴とする請求項５に記載のボールカート。
【請求項９】
カート及び袋体を有し、
その内、前記カートは、複数の支柱と、複数の連結ロッドと、複数のキャップと、複数のバネと、複数のキャスターと、複数のペダル部材を備え、該キャップが支柱の上端に取り付けられ、該キャスターが支柱の下端に装着され、該ペダル部材が支柱に環装され、該２本が組み合わされる一対の連結ロッドが、隣り合う支柱の間において、その２本の連結ロッドが中央で枢設されるように取り付けられ、その連結ロッドの上端がキャップに枢設されると共に、下端がペダル部材に枢設され、また、該バネが支柱に取り付けられ、その上端がキャップに固定されると共に、下端がペダル部材に固定され、
前記袋体は、カートの支柱に取り付けられ、上部に開口が形成され、外面に締結部材が設けられることを特徴とする、
ボールカート。
【請求項１０】
前記カートは、４本の支柱と、４対の２本が組み合わされた連結ロッドと、４つのキャップと、２つのバネと、４つのキャスターと、４つのペダル部材を備え、その内、キャップは、上部にフタが取り付けられ、該フタの垂直両側にそれぞれ枢設口が凹設され、前記連結ロッドの上端は、枢設口を介してキャップのフタに枢設され、前記ペダル部材の垂直両側にそれぞれクリップが延設され、前記連結ロッドの下端がクリップを介してペダル部材に枢設され、前記バネはそれぞれ、斜めに交差する２本の支柱に取り付けられることを特徴とする請求項９に記載のボールカート。
【請求項１１】
前記ペダル部材は、細長状の管体であり、中心に軸方向に沿って長孔が形成され、上部に枢接部が設けられ、中間部に延出部が設けられ、下部に踏込み部が設けられ、該枢接部の両側にそれぞれ前記クリップが延設され、該延出部の１面に開口が形成されると共に、他の３面に壁が設けられ、該踏込み部は、延出部の底端から１つの該クリップと同一の方向へ延設され、前記支柱がペダル部材の長孔を通過するようペダル部材に環設されることを特徴とする請求項９または１０に記載のボールカート。
【請求項１２】
前記袋体は、底部に複数の取付穴が形成され、上部の開口近傍における、取付穴と対応する箇所にそれぞれ止め部が設けられ、前記支柱は取付穴を通過し、キャップは止め部に掛止されることを特徴とする請求項１１に記載のボールカート。
【請求項１３】
前記ペダル部材の内周面に複数のリブが縦方向に凸設されることを特徴とする請求項１２に記載のボールカート。
【請求項１４】
前記締結部材がバックルまたは円環状の紐であることを特徴とする請求項１３に記載のボールカート。
【請求項１５】
少なくとも１つのペダル部材の周面に位置決め穴が形成され、該ペダル部材と対応する支柱の下端近傍に係合ボタンが設置されることを特徴とする請求項９または１０に記載のボールカート。
【請求項１６】
少なくとも１つのペダル部材の周面に位置決め穴が形成され、該ペダル部材と対応する支柱の下端近傍に係合ボタンが設置されることを特徴とする請求項１３に記載のボールカート。
【発明の詳細な説明】
【技術分野】
【０００１】
本発明は、片手で収納することができる折り畳み式のボールカートに関するものである。
【背景技術】
【０００２】
ボールカートは、主に体育館や練習場などに配置され、内部の収納空間にバレーボールやバスケットボールなどを収納するものであり、また、ボールカートの支柱の底端にはキャスターが設置されているので、ボールの持ち運びがより便利となる。
【０００３】
図９に示すように、既存のボールカートは、カート３０及び袋体４０を有し、該カート３０は、４本の支柱３１と、４対の連結ロッド３２と、４つのキャップ３３と、４つの摺動座３４と、２つのばね３５と、４つのキャスター３６とを備え、その４本の支柱３１はそれぞれ、矩形の隅部に配置され、該キャップ３３は、支柱３１の上端に取り付けられ、該摺動座３４は、摺動可能に支柱３１の中段に環装され、該キャスター３６は、支柱３１の底端に装着され、その各対の連結ロッド３２は、互いにＸ字形のように交差状に、隣り合った２本の支柱３１の間に枢設され、連結ロッド３２の上端がキャップ３３に枢設されると共に、連結ロッド３２の下端が摺動座３４に枢設され、その２つのばね３５は、斜めに対向する２本の支柱３１に取り付けられ、バネ３５の上端がキャップ３３に、下端が摺動座３４に固定される。
【０００４】
前記袋体４０は、柔軟な材質からなり、展開すると中空の立方体を呈し、上部に開口が形成され、底部の４つの隅にそれぞれ貫通孔４１が形成され、開口の近傍における、貫通孔４１と対応する箇所に止め部４２が設けられ、外面に紐４３が設置される。
【０００５】
既存のボールカートでは、袋体４０をカート３０に取り付ける時に、それらの支柱３１がそれぞれ対応する貫通孔４１を通過すると共に、支柱３１の上端のキャップ３３が止め部４２に係合するように、袋体４０をカート３０に装着する。また、そのばね３５の付勢力によって、摺動座３４が支柱３１に沿って上方へ引き上げられ、隣り合った２本の支柱３１の間に１対の連結ロッド３２が互いにＸ字形に交差するように枢設されるので、支柱３１及び連結ロッド３２によって、袋体４０を支えながら展開することができる。
【０００６】
図１０に示すように、既存のボールカートを折畳んで収納する時は、使用者がお腹５０で一方の支柱３１を押さえながら、両手で斜めに交差する両側の２本の支柱３１を一側に押し込み、この時、ばね３５を引っ張って摺動座３４を支柱３１に沿って下方へ摺動させれば、４本の支柱３１及び４対の連結ロッド３２がそれぞれ接近するように集まって袋体４０が折畳まれ、そのボールカートがコンパクトになる。
【先行技術文献】
【非特許文献】
【０００７】
【非特許文献１】ｈｔｔｐ：／／ｓｐａｌｄｉｎｇｂｌｏｇ．ｐｉｘｎｅｔ．ｎｅｔ／ａｌｂｕｍ／ｐｈｏｔｏ／５９４７８９４１
【発明の概要】
【発明が解決しようとする課題】
【０００８】
しかしながら、既存のボールカートは、両手及びボディーの一部（例えば、お腹）を用いて折り畳むことはできるが、使用者が手に何かを持っている時には、ボールカートを折り畳むことができないので、使用上非常に不便であった。
【課題を解決するための手段】
【０００９】
本発明に係るボールカートは、カート及び袋体を有し、その内、前記カートは、複数の支柱と、複数の連結ロッドと、複数のキャップと、複数の摺動座と、複数のバネと、複数のキャスターと、１つのペダル部材とを備え、該キャップが支柱の上端に取り付けられ、該キャスターが支柱の下端に装着され、該ペダル部材が１本の支柱に環装され、該摺動座がその他の支柱に環装され、該２本が組み合わされる一対の連結ロッドが、隣り合う支柱の間において、その２本の連結ロッドが中央で枢設されるように取り付けられ、その連結ロッドの上端がキャップに枢設されると共に、下端が対応する摺動座またはペダル部材に枢設され、また、該バネが支柱に取り付けられ、その上端がキャップに固定されると共に、下端が対応する摺動座またはペダル部材に固定され、前記袋体は、袋状を呈し、カートの支柱に取り付けられ、上部に開口が形成され、外面に締結部材が設けられてもよい。
【００１０】
本発明に係るボールカートは、カート及び袋体を有し、その内、前記カートは、複数の支柱と、複数の連結ロッドと、複数のキャップと、複数のバネと、複数のキャスターと、複数のペダル部材を備え、該キャップが支柱の上端に取り付けられ、該キャスターが支柱の下端に装着され、該ペダル部材が支柱に環装され、該２本が組み合わされる一対の連結ロッドが、隣り合う支柱の間において、その２本の連結ロッドが中央で枢設されるように取り付けられ、その連結ロッドの上端がキャップに枢設されると共に、下端がペダル部材に枢設され、また、該バネが支柱に取り付けられ、その上端がキャップに固定されると共に、下端がペダル部材に固定され、前記袋体は、袋状を呈し、カートの支柱に取り付けられ、上部に開口が形成され、外面に締結部材が設けられてもよい。
【００１１】
かかるボールカートにおいて、前記カートは、４本の支柱と、４対の２本が組み合わされる連結ロッドと、４つのキャップと、３つの摺動座と、２つのバネと、４つのキャスターと、１つのペダル部材を備え、その内、キャップの上部にフタが取り付けられ、該フタの垂直両側にそれぞれ枢設口が凹設され、前記連結ロッドの上端は、枢設口を介してキャップのフタに枢設され、前記摺動座の中央に貫通孔が形成され、前記支柱が貫通孔を介して摺動座に貫設され、該摺動座の垂直両側にそれぞれ枢接口が形成され、前記連結ロッドの下端が対応する枢接口を介して摺動座に枢設され、前記ペダル部材は、１本の支柱に環設され、垂直両側にそれぞれクリップが延設され、前記連結ロッドの下端が対応するクリップを介してペダル部材に枢設され、前記摺動座はそれぞれ、他の３本の支柱に環装され、前記バネはそれぞれ、斜めに交差する２本の支柱に取り付けられることが好ましい。
【００１２】
かかるボールカートにおいて、前記ペダル部材は、細長状の管体であり、中心に軸方向に沿って長孔が形成され、上部に枢接部が設けられ、中間部に延出部が設けられ、下部に踏込み部が設けられ、該枢接部の両側にそれぞれ前記クリップが延設され、該延出部の１面に開口が形成されると共に、他の３面に壁が設けられ、該踏込み部は、延出部の底端から１つの該クリップと同一の方向へ延設され、前記支柱がペダル部材の長孔を通過するようペダル部材に環設されることが好ましい。
【００１３】
かかるボールカートにおいて、前記袋体は、底部に複数の取付穴が形成され、上部の開口近傍における、取付穴と対応する箇所にそれぞれ止め部が設けられ、前記支柱は取付穴を通過し、キャップは止め部に掛止されることが好ましい。
【００１４】
かかるボールカートにおいて、前記ペダル部材の内周面に複数のリブが縦方向に凸設されることが好ましい。
【００１５】
かかるボールカートにおいて、前記締結部材がバックルまたは円環状の紐であることが好ましい。
【００１６】
かかるボールカートにおいて、前記締結部材は、少なくとも１つのペダル部材の周面に位置決め穴が形成され、該ペダル部材と対応する支柱の下端近傍に係合ボタンが設置されることが好ましい。
【発明の効果】
【００１７】
上述した構造によれば、使用者がペダル部材の踏込み部を下方へ押すと、バネが引っ張られて、ペダル部材及び摺動座が支柱に沿って下方へ摺動し、連結ロッドが縦方向へ枢転して支柱と接近しながら中央に集まるので、カート及び袋体を簡単に折畳むことができる。また、その後、袋体の締結部材によって、折畳んだカート及び袋体を縛れば、ボールカートが勝手に展開することがなくなるので、収納しやすくなる。
【００１８】
一方、その袋体の締結部材を解くと、バネの弾力性によってバネが通常の長さに復位し、ペダル部材及び摺動座が上方へ摺動すると共に、各ペアの連結ロッドもＸ字形に枢転して開放され、つまり、それらの支柱が中央から外側へ移動して袋体を支えながら自動的に展開することができる。この構成によれば、袋体の内部にバレーボールやバスケットボールなどを収納することができ、また、支柱の底端には、キャスターが設けられるので、ボールの持ち運びが非常に便利になる。
【図面の簡単な説明】
【００１９】
【図１】本発明に係るボールカートの第一実施例の斜視図である。
【図２】本発明に係るボールカートの第一実施例の斜視図である。
【図３】本発明に係るボールカートの第一実施例において、カートの折畳み状態を示す側面図である。
【図４】本発明に係るボールカートの第一実施例における支柱及びペダル部材の部分断面図である。
【図５】本発明に係るボールカートの第二実施例における支柱及びペダル部材の部分断面図である。
【図６】本発明に係るボールカートの第二実施例において、ペダル部材の配列状態を示す部分断面図である。
【図７】本発明に係るボールカートの第四実施例における締結部材の部分斜視図である。
【図８】本発明に係るボールカートの第五実施例における締結部材の部分拡大斜視図である。
【図９】既存のボールカートの説明図である。
【図１０】既存のボールカートの折畳み状態を示す平面図である。
【発明を実施するための形態】
【００２０】
以下、添付図面を参照しつつ、本発明の好適な実施形態について詳細に説明する。尚、下記の実施形態は、本発明の好適な実施の形態を示したものにすぎず、本発明の技術的範囲は、下記の実施形態それ自体に何ら限定されるものではない。
【００２１】
図１及び図２に示すように、本発明に係るボールカートの第一実施例は、カート１０及び袋体２０を有し、該カート１０は、４本の支柱１１と、４つのペアの連結ロッド１２と、４つのキャップ１３と、３つの摺動座１４と、２つのバネ１５と、４つのキャスター１６と、１つのペダル部材１７を備える。
【００２２】
その内、支柱１１はそれぞれ、縦方向の細長状の棒であり、矩形の４つの隅部に配置され、前記ペアの連結ロッド１２は、隣り合う支柱１１の間に取り付けられ、前記キャップ１３はそれぞれ、支柱１１の上端に取り付けられ、前記３つの摺動座１４はそれぞれ、一方の３本の支柱１１に環設され、前記ペダル部材１７は、摺動座１４が環装されていない他方の支柱１１に環装され、前記キャスター１６はそれぞれ、支柱１１の下端に装着される。
【００２３】
また、前記各ペアの連結ロッド１２は、２本の連結ロッド１２からなり、それらの連結ロッド１２が中央で互いに交差するように枢設され、更に、該連結ロッド１２の上端がキャップ１３に枢設されると共に、下端が摺動座１４またはペダル部材１７に枢設される。
前記キャップ１３は、上部にＬ字形のフタが取り付けられ、該フタの両端にそれぞれ枢設口が凹設され、該枢設口を介して連結ロッド１２の上端がキャップ１３のフタに枢設される。
前記摺動座１４は、中央に貫通孔が形成され、該貫通孔を介して支柱１１が摺動座１４に貫設され、その摺動座１４の垂直両側にそれぞれ枢接口が延設され、該枢接口を介して連結ロッド１２の下端が摺動座１４に枢設される。
前記２つのバネ１５は、摺動座１４が環装されていない他方の支柱１１及び該支柱１１と対向する支柱１１に取り付けられ、上端がキャップ１３に固定されると共に、下端が摺動座１４またはペダル部材１７に固定される。
【００２４】
前記ペダル部材１７は、細長状の管体であり、中心に軸方向に沿って長孔が形成され、上部に枢接部１７１が設けられ、中間部に延出部１７２が設けられ、下部に踏込み部１７３が設けられ、該枢接部１７１における垂直両側にそれぞれクリップが延設され、該延出部１７２の１面に開口が形成されると共に、他の３面に壁が設けられ、該踏込み部１７３は、延出部１７２の底端から横方向、かつ１つのクリップと同一の方向に向かって延設される。また、その枢接部１７１は、長孔を介して摺動座１４が環装されていない他方の支柱１１に環装され、その延出部１７２が３面の壁により支柱１１と接触することによって、延出部１７２でペダル部材１７を支柱１１に沿ってスムーズに上下移動させる。
前記２つのバネ１５は、カート１０における斜めに交差する２本の支柱１１に取り付けられ、その内、一方のバネ１５の上端はキャップ１３に固定されると共に、該バネ１５の下端はペダル部材１７に固定され、他方のバネ１５の上端はキャップ１３に固定され、該バネ１５の下端は摺動座１４に固定される。
【００２５】
前記袋体２０は、ナイロンまたはキャンバスなどの軟質の材料からなり、可撓性を備え、展開したり折畳んだりすることができ、展開すると矩形の袋状を呈する。また、該袋体２０の上部に開口が形成されると共に、底部に支持面が設けられ、該支持面の４つの隅部にそれぞれ取付穴２１が形成され、該開口の近傍における、取付穴２１と対応する箇所にそれぞれ止め部２２が設けられ、外面に締結部材２３が設けられる。尚、該締結部材２３はバックルを用いたものであることが好ましい。
また、前記袋体２０をカート１０に取り付ける時は、その支柱１１を取付穴２１から貫通させ、キャップ１３を止め部２２に係合させれば、袋体２０をカート１０に取り付けることができる。
【００２６】
図１に示すように、本発明に係るボールカートを使用する時は、バネ１５の付勢力によって、摺動座１４及びペダル部材１７を支柱１１に沿って上方へ引っ張って移動させ、Ｘ字形の各ペアの連結ロッド１２を枢転させ、それらの支柱１１をそれぞれ中央から外側へ移動させながら、ケース２０を展開させる。
【００２７】
一方、図３に示すように、本発明に係るボールカートを折畳んで収納する時は、使用者が足でペダル部材１７の踏込み部１７３を踏んで下方へ移動させると、ペダル部材１７上のバネ１５（図３に示せず）が引っ張られ、この時、ペダル部材１７が支柱１１に沿って下方へ摺動すると共に、３つの摺動座１４も支柱１１に沿って下方へ摺動する。そして、各ペアの連結ロッド１２を互いに接近するように縦方向へ枢転させながら折畳めば支柱１１を中央へ集めることができる。
【００２８】
図４に示すように、本発明に係るボールカートの第一実施例においては、ペダル部材１７が平坦な内周面によって支柱１１の外周面と接触することから、ペダル部材１７がスムーズに支柱１１に沿って上下に移動することができる。
【００２９】
図５に示すように、本発明の第二実施例は、殆ど第一実施例と同一であるが、ペダル部材１７Ａが第一実施例とは異なり、本実施例におけるペダル部材１７Ａは、内周面に複数のリブ１７４Ａが間隔をおいて縦方向に凸設され、それらのリブ１７４Ａによってペダル部材１７Ａが支柱１１の外周面と接触することにより、ペダル部材１７Ａがスムーズに支柱１１に沿って上下に摺動することができる。このように、本実施例のペダル部材１７Ａは、リブ１７４Ａを有することから、支柱１１と接触する面積がより小さくなり、ペダル部材１７と支柱１１との摩擦が減少するので、ペダル部材１７の消耗を防止することができる。
【００３０】
図６に示すように、本発明の第三実施例は、殆ど第一実施例と同一であるが、第一実施例の摺動座１４をペダル部材１７に変更する。すなわち、４つのペダル部材１７がそれぞれ上下移動可能に支柱１１に環状される点において異なる。なお、この構成によれば、ボールカートを折畳んで収納する時に、それらのペダル部材１７が接近しても衝突しないために、それぞれ所定の方向（例えば、時計回りまたは逆時計回り）に向かって配列される。
【００３１】
図７に示すように、本発明の第四実施例は、殆ど第一実施例と同一であるが、締結部材２３Ａが第一実施例の締結部材２３と異なる。つまり、本実施例の締結部材２３Ａは、ボールカートを折畳んだ状態のサイズに対応した円環状の紐であり、使用者が片手で締結部材２３Ａによりボールカートを縛り付けることができ、また、ボールカートが自ら展開してしまうことを防止することができる。
【００３２】
本発明に係るボールカートを収納する時は、使用者が足でペダル部材１７の踏込み部１７３を踏んでバネ１５を引っ張り、ペダル部材１７及び摺動座１４を支柱１１に沿って下方へ摺動させると共に、連結ロッド１２を縦方向へ枢転させて支柱１１と接近させながら中央に集め、ケース２０も折畳んで締結部材２３により支柱１１と連結ロッド１２とを共に縛り付けるので、ボールカートが展開しないように折畳んだ状態をしっかりと維持させることができる。
【００３３】
一方、本発明に係るボールカートを使用する時には、ケース２０の締結部材２３を解放し、バネ１５の付勢力によってバネ１５を通常の長さに復位させることにより、ペダル部材１７及び摺動座１４を上方へ摺動させると共に、各ペアの連結ロッド１２をＸ字形の状態で枢転させ、それらの支柱１１を中央から外側へ移動させて矩形の４つの隅に位置させるので、ケース２０を支えながら展開させることができる。この構成によれば、ケース２０の内部にバレーボールやバスケットボールなどを収納することができ、また、支柱１１の底端にキャスター１６が設けられるので、ボールの持ち運びも便利である。
【００３４】
図８に示すように、本発明の第五実施例は、殆ど上述した各実施例と同一であるが、その締結機構が着脱可能な係合手段であり、前記締結部材２３または締結部材２３Ａと異なる。
本実施例の締結機構である係合手段は、少なくとも１つのペダル部材１７の周面に位置決め穴１７０が形成され、該ペダル部材１７と対応する支柱１１の下端近傍に係合ボタン１１０が設置される、該係合ボタン１１０は、バネにより進退可能に支柱１１の下端近傍に取り付けられてもよく、支柱１１の外周面から凸設されてもよい。
本発明に係るボールカートを折畳む時に、使用者が足でペダル部材１７を踏んで支柱１１に沿って下方へ移動させると、支柱１１の係合ボタン１１０がペダル部材１７の位置決め穴１７０に嵌め込まれ、ペダル部材１７を支柱１１の下端近傍に固定し、ボールカートを折畳んで収納する状態を維持することができる。
一方、本発明に係るボールカートを使用する時には、力を入れてペダル部材１７を支柱１１に沿って上方へ摺動させると、その係合手段を解放し、ボールカートを展開することができる。
【符号の説明】
【００３５】
１０  カート
１１  支柱
１１０  係合ボタン
１２  連結ロッド
１３  キャップ
１４  摺動座
１５  バネ
１６  キャスター
１７、１７Ａ  ペダル部材
１７０  位置決め穴
１７１  枢接部
１７２  延出部
１７３  踏込み部
１７４Ａ  リブ
２０  袋体
２１  取付穴
２２  止め部
２３、２３Ａ  締結部材
３０  カート
３１  支柱
３２  連結ロッド
３３  キャップ
３４  摺動座
３５  ばね
３６  キャスター
４０  袋体
４１  貫通孔
４２  止め部
５０  お腹
【図１】
0005993476.tif 000002
【図２】
0005993476.tif 000003
【図３】
0005993476.tif 000004
【図４】
0005993476.tif 000005
【図５】
0005993476.tif 000006
【図６】
0005993476.tif 000007
【図７】
0005993476.tif 000008
【図８】
0005993476.tif 000009
【図９】
0005993476.tif 000010
【図１０】
0005993476.tif 000011